(57)【特許請求の範囲】
【請求項１】
地面に所定の間隔で立設された鋼製の柱と、
前記各柱の上端に横架された鋼製の笠木と、
前記各柱に横架された鋼製の手摺りと、
前記各柱間に、上下方向に所定の間隔で張架された鋼索とを備えてなり、前記鋼索を樹木の枝の隙間を通過させ得ることを特徴とする柵。
【請求項２】
前記柱に、該柱の軸方向と所定の角度で交わる貫通穴が、上下方向に所定の間隔で形成され、
各柱の一定位置の貫通穴に、所定の長さの鋼索が連続して挿通されるとともに、その両端が所定の柱に固結されることにより、該鋼索が各柱間に弾性を有するように張架されたことを特徴とする請求項１に記載の柵。
【請求項３】
前記貫通穴を形成すべき所定の角度は、その柱の上端に設けられた笠木の軸方向と該柱の軸方向とがなす角度と略同一であることを特徴とする請求項２に記載の柵。
【請求項４】
前記柱の下端に、プレートが、その長手方向と該柱の軸方向とが直交するように固設され、
該プレートに、下端部がベースレベルと当接することによりベースレベルとプレートとの間隙を保持するレベル調整部材が、該プレートの下方に向かって進退自在に設けられたことにより、
前記柱を、高さ調整が可能なものとしたことを特徴とする請求項１乃至３のいずれかに記載の柵。
【請求項５】
前記レベル調整部材は、前記プレートに設けられたネジ穴に螺合されたボルトであって、前記柱との結合部位を挟む位置関係にある少なくとも２箇所に設けられたものであることを特徴とする請求項４に記載の柵。
【発明の詳細な説明】
【０００１】
【発明の属する技術分野】
本発明は、庭園等の敷地内への人の侵入を防止するために敷地周縁に設けられる柵に関するものである。
【０００２】
【従来の技術】
庭園等の敷地の周縁には、人の侵入を防止するための柵が設けられることが多い。これは、庭園内に、例えば、池や高低差の大きい箇所がある場合に、人が溺れたり墜落したりする危険性を排除するための安全策の一つである。
このような柵として、従来は、敷地の周縁に所定間隔で木製の杭を打ち込み、該杭間にロープを張架したものが用いられていた。
【０００３】
【発明が解決しようとする課題】
しかし、前記従来の柵は、容易に乗り越えることができ、また、長期間に渡り使用しているうちに劣化によりロープが朽ちて消失し、人の侵入を防止するための柵としての機能を果たさなくなることもある。
一方、複数本の鋼管を、人が容易に乗り越えたり、くぐり抜けることができないように、上下方向に所定の間隔で横設してなる柵とすれば、長期間に渡り安定且つ確実に人の侵入を防止することができるが、地表面から所定の高さに渡って複数の鋼管を横設すれば、庭園の景観を損ない、さらに、そのような柵の設置に際して前記鋼管と庭園内の樹木がかち合うような場合には、樹木の枝を伐採することが必要となることもある。
【０００４】
本発明は、かかる問題に鑑みてなされたものであり、庭園等の景観を損なうことなく、また、設置に際して樹木の伐採を要しない鋼製の柵を提供することを目的とする。
【０００５】
【課題を解決するための手段】
前記目的を達成するためになされた本発明の請求項１に係る柵は、地面に所定の間隔で立設された鋼製の柱と、前記各柱の上端に横架された鋼製の笠木と、前記各柱に横架された鋼製の手摺りと、前記各柱間に、上下方向に所定の間隔で張架された鋼索とを備えてなり、前記鋼索を樹木の枝の隙間を通過させ得るものである。
【０００６】
また、本発明（請求項２）は、請求項１に記載の柵において、前記柱に、該柱の軸方向とと所定の角度で交わる貫通穴が、上下方向に所定の間隔で形成され、各柱の一定位置の貫通穴に、所定の長さの鋼索が連続して挿通されるとともに、その両端が所定の柱に固結されることにより、該鋼索が各柱間に弾性を有するように張架されたものである。
【０００７】
また、本発明（請求項３）は、請求項２に記載の柵において、前記貫通穴を形成すべき所定の角度を、その柱の上端に設けられた笠木の軸方向と該柱の軸方向とがなす角度と略同一としたものである。
【０００８】
また、本発明（請求項４）は、請求項１乃至３のいずれかに記載の柵において、前記柱の下端に、プレートが、その長手方向と該柱の軸方向とが直交するように固設され、該プレートに、下端部がベースレベルと当接することによりベースレベルとプレートとの間隙を保持するレベル調整部材が、該プレートの下方に向かって進退自在に設けられたことにより、前記柱を、高さ調整が可能なものとしたものである。
【０００９】
また、本発明（請求項５）は、請求項４に記載の柵において、前記レベル調整部材は、前記プレートに設けられたネジ穴に螺合されたボルトであって、前記柱との結合部位を挟む位置関係にある少なくとも２箇所に設けられたものである。
【００１０】
【発明の実施の形態】
以下、本発明の実施の形態を図面に基づき具体的に説明する。
図１は、本実施の形態に係る柵の外観を示す正面図であり、該柵１００は、地面に所定の間隔で立設されたステンレス鋼製の柱１０１ａ、１０１ｂと、該柱１０１に横架されたステンレス鋼製の笠木１０２及び手摺り１０３と、各柱１０１間に所定の間隔で張架されたステンレス鋼製のワイヤ（鋼索）１０４とを備えてなるものである。
なお、各構成部材の素材はステンレス鋼以外の鋼を用いてもよいが、耐候性、防錆性に優れるステンレス鋼が好適である。
【００１１】
図２は、前記柱１０１ａの詳細な構成を説明するための側面図であるが、図に示すように、柱１０１ａは管状のものであって、その上端は、管状の笠木１０２と嵌合できるように、笠木１０２の外周にあわせて円弧状に加工されている。また、柱１０１ａの上端側の所定位置には、管状の手摺り１０３を挿通して固着させるために、手摺り１０３の外径と略同一の内径の貫通穴１０が形成されている。該穴１０を設けるべき位置は、柱１０１ａを地面に立設した際に、人が手を掛け易い位置、即ち、人の胸から腰の間となるようにすることが好ましい。
【００１２】
なお、本実施の形態では、庭園等を見る人が前記柵１００の近傍に立った場合に、ワイヤ１０４に手を掛けたり凭れかかったりすることにより、ワイヤ１０４に過度の負荷が加わって切れたり人がバランスを崩して転倒することを防止するために手摺り１０３を設けることとしたが、笠木１０２が手摺りの役割をも果たす場合や柵１００の近傍にまで人が立ち入れないような場合等には、手摺り１０３を設けずに、笠木１０２の直下からワイヤ１０４を張設することとしてもよい。
【００１３】
さらに、前記穴１０の下方であって地表に表出する部分には、前記ワイヤ１０４が挿通できるように、該ワイヤ１０４の外径よりやや大きな内径の貫通穴１１ａが、柱１０１ａの軸方向と直交する方向に所定の間隔で複数形成されている。該貫通穴１１ａを設けるべき間隔は特に限定されるものではないが、ワイヤ１０４が張設された場合に、その間を人が容易にくぐり抜けることができない程度の間隔とすることが好ましい。
なお、ワイヤ１０４の径等は特に限定されるものではないが、景観を損なわないような適度の細さの径とする。
【００１４】
また、柱１０１ａの中間付近の所定位置には、支柱１２が、前記貫通穴１１ａの軸方向と異なる方向から下端に向かって、柱１０１ａとの距離が広がっていくように固着されている。該支柱１２により、地面に立設された柱１０１ａが補強的に支持されて、外部からの負荷による柱１０１ａの傾倒を防止する。
【００１５】
図３(a)及び図３(b)は、柱１０１ａの下端近傍を示す部分拡大図であるが、図に示すように、柱１０１ａ及び支柱１２の下端には、柱１０１ａの軸方向と直交するようにＬ型プレート１３ａが固着されている。該Ｌ型プレート１３ａの長手方向の長さは、柱１０１ａと支柱１２間の距離より長いものであり、柱１０１ａの外側、即ち柱１０１ａから支柱１２がある方向と反対方向に、少なくともボルト１４を螺合する領域を確保できるように突出されて、柱１０１ａ及び支柱１２に固着されている。また、Ｌ型プレート１３ａと柱１０１ａ及び支柱１２とは、柱１０１ａ及び支柱１２の下端面のみならず、その周側面の一部とも密着するように固定されており、これにより、Ｌ型プレート１３ａと柱１０１ａ及び支柱１２との固着が強固なものとなっている。
【００１６】
前記Ｌ型プレート１３ａの底辺には、ボルト１４を挿通すべき穴が２箇所に設けられて、該穴の上方にボルト１４と螺合するナット１５が固着されている。図に示すように、該ナット１５の一方は、Ｌ型アングル１３の底辺の端部近傍であって、柱１０１ａとの結合部位より外側に設けられ、他方は、Ｌ型アングル１３の底辺の他端側であって、支柱１２との結合部位の内側に設けられている。
これにより、柱１０１ａの重心を安定的に保持しつつ、Ｌ型プレート１３ａとベースレベルとの間隙を一定に保持することができる。
【００１７】
なお、前記ナット１５の個数及び位置は、Ｌ型プレート１３ａの底辺であって、柱１０１ａとの結合部位を挟む位置関係にある少なくとも２箇所であれば、特に本実施の形態で示す個数及び位置に限定されるものではない。また、ナット１５を設ける代わりに、Ｌ型プレートの底辺にネジ穴を設けるようにしてもよい。
【００１８】
前記ナット１５には、所定の長さのボルト１４が、その頭部を下方に向けて螺合されて、Ｌ型プレート１３ａの底辺から下方に向かって進退自在となっている。該ボルト１４の頭部がベースレベルに当接することによりＬ型プレート１３ａとの間隙が保持され、ボルト１４の頭部の位置を進退させることにより、Ｌ型プレート１３ａのレベル調整を行えるものとなっている。
【００１９】
図４は、前記柱１０１ｂの詳細な構成を示す側面図であるが、図に示すように、柱１０１ｂは管状のものであって、その上端は、管状の笠木１０２と嵌合できるように、笠木１０２の外周にあわせて円弧状に加工されている。また、柱１０１ｂの上端側の所定位置には、管状の手摺り１０３を挿通して固着させるために、手摺り１０３の外径と略同一の内径の貫通穴１０が形成されている。これらの構成は、前記柱１０１ａの構成と同様のものである。
【００２０】
また、柱１０１ｂの前記穴１０の下方であって地表に表出する部分にも、前記柱１０１ａと同様の間隔で貫通穴１１ｂが複数形成されており、該貫通穴１１ｂの内径は、ワイヤ１０４の端部を固着するためのワイヤアンカ４０の軸部を挿通できる大きさのものとなっている。
【００２１】
また、柱１０１ｂの中間付近の所定位置には、前記貫通穴１１ｂの軸方向と異なる方向に、２本の支柱１２が、柱１０１ｂの軸に対して対象となる方向から下端に向かって、柱１０１ｂとの距離が広がっていくように固着されている。該支柱１２により、地面に立設された柱１０１ｂが補強的に支持されて、外部からの負荷による柱１０１ｂの傾倒を防止する。
【００２２】
なお、本実施の形態では、柱１０１ｂにはワイヤ１０４の端部が固結されるので、該ワイヤ１０４の張力やワイヤ１０４へ作用する外力に対向するため、２本の支柱１２を設けて柱１０１ｂを強固に支持するものとしたが、本発明において、柱に設けるべき支柱の数はこれに限定されるものではなく、本発明に係る柵に必要とされる強度等を考慮して、例えば柱にまったく支柱を設けないこととしても、又はすべての柱に複数の支柱を設けることとしてもよい。
【００２３】
図５は、柱１０１ｂの下端近傍を示す部分拡大図であるが、図に示すように、柱１０１ｂ及び支柱１２の下端には、柱１０１ｂの軸方向と直交するようにＬ型プレート１３ｂが固着されている。該Ｌ型プレート１３ｂの長手方向の長さは、２本の支柱１２間の距離より長いものであり、各支柱１２の外側それぞれに、少なくともボルト１４を螺合する領域を確保できるように突出されて、柱１０１ｂ及び支柱１２に固着されている。
なお、Ｌ型プレート１３ｂにおいても前記Ｌ型プレート１３ａと同様に、柱１０１ｂ及び支柱１２とは、柱１０１ｂ及び支柱１２の下端面のみならず、その周側面の一部とも密着するように固定されている。
【００２４】
前記Ｌ型プレート１３ｂの底辺の端部近傍であって、各支柱１２との結合部位より外側には、ボルト１４を挿通すべき穴がそれぞれ設けられて、該穴の上方にボルト１４と螺合するナット１５が固着されている。各ナット１５には、所定の長さのボルト１４が、その頭部を下方に向けて螺合されて、Ｌ型プレート１３ｂの底辺から下方に向かって進退自在となっている。これにより、前記Ｌ型プレート１３ａと同様に、Ｌ型プレート１３ｂのレベル調整を行えるものとなっている。
【００２５】
以下、本柵１００の設置方法を説明する。
まず、柵１００を設置すべき庭園等の敷地周囲に、掘削、締固め等によりベースレベルを設ける。その後、該ベースレベルに、所望の間隔で柱１０１ａ及び柱１０１ｂを仮置きする。その際、柵１００の両端の位置には柱１０１ｂを、中間位置には柱１０１ａを配置する（図６）。
なお、柱１０１ａを配置すべき位置は特に限定されるものではないが、庭園に植栽された樹木等と干渉しない位置とすることが好ましい。
【００２６】
つぎに、仮置きした各柱１０１ａ及び柱１０１ｂに、笠木１０２及び手摺り１０３を仮組みして、各柱１０１ａ又は柱１０１ｂの下端に設けられたＬ型プレート１３ａ又はＬ型プレート１３ｂの各ボルト１４を進退させて、各柱１０１ａ及び柱１０１ｂのレベル調整を行う。
【００２７】
レベル調整後、各柱１０１ａ及び柱１０１ｂの下端部をモルタル団子で仮固定してから、笠木１０２及び手摺り１０３を、各柱１０１ａ及び柱１０１ｂに溶接固定する（図７）。
【００２８】
つぎに、各柱１０１ａ及び柱１０１ｂの下端部にコンクリートを打設して養生する。該コンクリートは、各柱１０１ａ又は柱１０１ｂの下端部に設けられたＬ型プレート１３ａ又はＬ型プレート１３ｂを完全に内包できるように打設する（図８）。
【００２９】
前記コンクリートの養生後、土砂を埋め戻してから、ワイヤ１０４を張設することにより、図１に示すように柵が設置される。ワイヤ１０４は、両端の柱１０１ｂ間の距離よりやや長いものを用い、各柱１０１ａの一定位置の貫通穴１１ａに連続して挿通してから、その両端を各柱１０１ｂに固結する。ワイヤ１０４を張設すべき位置に樹木等がある場合においては、可能な限り柱１０１ａ間の最短経路をとり、ワイヤ１０４を樹木の枝等の隙間を通過させることにより、該樹木等を傷つけることなくワイヤ１０４を張設することができる。
【００３０】
ワイヤ１０４の端部の固結には、図９に示すように、ワイヤアンカ４０及びワイヤグリップ４１を用いる。ワイヤアンカ４０は、リング状の部材４３に挿通軸４４が径方向に突設され、該挿通軸４４の端部にナット４５が螺合されたもので、図に示すように、柱１０１ｂの各貫通穴１１ｂに、前記挿通軸４４がリング状の部材４３が内側を向くように挿通されてナット４５により固定されている。一定位置の貫通穴１１ｂに固定されたワイヤアンカ４０のリング状部材４３に、前記ワイヤ１０４を挿通して折り戻し、折り戻す前後のワイヤ１０４を束ねてワイヤグリップ４１で締めつけることにより、ワイヤ１０４が各柱１０１ｂに固結される。ワイヤ１０４を固結する際に、ワイヤ１０４に適度な張力をもたせることにより、各柱１０１ａ及び柱１０１ｂ間に、該ワイヤ１０４が弾性を有するように張架される。これにより、柵１００の設置後に樹木の枝等が育成してワイヤ１０４と当ることとなっても、ワイヤ１０４の弾性が樹木の枝からの外力を緩衝して、樹木を傷つけたり柵１００が傾倒することを回避する。
【００３１】
なお、ワイヤ１０４を固結する方法は、前記ワイヤアンカ４０及びワイヤグリップ４１を用いた方法に限られるものではなく、その他の周知且つ任意の方法を用いることができる。
また、本実施の形態では柱１０１ｂを両端にのみ配置したが、柵１００をさらに長くするような場合には、柵１００の長さに対応する１本のワイヤ１０４を張設する代わりに、両端以外の位置にも適当な間隔で柱１０１ｂを複数配置して、各柱１０１ｂ間毎にワイヤ１０４を張設するような構成としてもよい。この際、図１０に示すように、庭園等の周縁に沿って柵１００に隅部や折曲がり部を設ける場合には、該隅部に柱１０１ｂを配置すれば、ワイヤ１０４を直線的に張設することができ、摩擦や外力の負荷によるワイヤ１０４の磨耗等を防ぐことができる。
【００３２】
このように、本実施の形態に係る柵１００によれば、各構成部材をステンレス鋼製のものとしたので、耐候性に優れ、長期間に渡り安全性を保持できる。また、手摺り１０３の下方に、複数のワイヤ１０４を所定の間隔で弾性を有するように張設したので、庭園の景観を妨げることがなく、さらに、柵１００の設置に際して樹木の枝等を伐採することを回避し、育成した枝等からの外力を緩衝できる。
【００３３】
図１０は、本実施の形態の変形例を示す正面図であるが、図に示すように、前記柵１００は、ベースレベルが傾斜している箇所にも設置することができる。このような傾斜地に柵１００を設置する場合は、柱１０１ａ又は柱１０１ｂに設けるべき穴１０、貫通穴１１ａ又は貫通穴１１ｂの軸方向を傾斜地のベースレベルにあわせる。
【００３４】
以下、柱１０１ａを例に図１１を用いて詳細に説明するに、前述したような傾斜地に柵１００を設置する場合には、笠木１０２の軸方向がベースレベルと平行となるようにする。さらに、手摺り１０３及び各ワイヤ１０４の軸方向もベースレベルと平行、即ち、図に示すように笠木１０２の軸方向と平行となるように設けることとなる。したがって、柱１０１ａに設けるべき穴１０及び貫通穴１１ａの軸方向と柱１０１ａの軸方向とがなす角度θ１と、笠木１０２の軸方向と柱１０１ａの軸方向とがなす角度θ２とを略同一とする。これにより、笠木１０２、手摺り１０３、及びワイヤ１０４を平行に設けることができ、さらに、ワイヤ１０４の軸方向と前記貫通穴１０１ａの軸方向とが同一となるので、ワイヤ１０４が貫通穴１０１ａの軸方向に対して滑らかに動くものとなる。
【００３５】
また、図１２に示すように、ベースレベルに水平部分と傾斜部分とがあるような場合には、水平部分と傾斜部分の境界に柱１０１ｂを各々配置して、水平部分と傾斜部分に張設すべきワイヤ１０４を分けることにより、ワイヤ１０４を直線的に張設することができ、摩擦や外力の負荷によるワイヤ１０４の磨耗等を防ぐことができる。
なお、該境界に配置した２本の柱１０１ｂの間が大きく離れるような場合には、さらにワイヤ１０４を、両端を該柱１０１ｂに各々固結して張設することが好ましい。
【００３６】
【発明の効果】
以上説明したように、本発明に係る柵によれば、地面に所定の間隔で立設された鋼製の柱と、前記各柱の上端に横架された鋼製の笠木と、前記各柱に横架された鋼製の手摺りと、前記各柱間に、上下方向に所定の間隔で張架された鋼索とを備えてなり、前記鋼索を樹木の枝の隙間を通過させ得るものとしたので、庭園等の景観を損なうことなく、鋼製の柵を庭園等の周縁に設置することができる。
【００３７】
また、本発明によれば、前記柱に、該柱の軸方向と所定の角度で交わる貫通穴が、上下方向に所定の間隔で形成され、各柱の一定位置の貫通穴に、所定の長さの鋼索が連続して挿通されるとともに、その両端が所定の柱に固結されることにより、該鋼索が各柱間に弾性を有するように張架されたので、庭園等に植栽された樹木を伐採せずに柵を設置することができ、また、育成した樹木の枝等による負荷を鋼索の弾性により緩衝して、樹木を傷つけたり柵が傾倒することを回避できる。
【００３８】
また、本発明によれば、前記貫通穴を形成すべき所定の角度を、その柱の上端に設けられた笠木の軸方向と該柱の軸方向とがなす角度と略同一としたものとしたので、鋼索を直線的に張設することができ、摩擦や外力の負荷による鋼索の磨耗等を防ぐことができる。
【００３９】
また、本発明によれば、前記柱の下端に、プレートが、その長手方向と該柱の軸方向とが直交するように固設され、該プレートに、下端部がベースレベルと当接することによりベースレベルとプレートとの間隙を保持するレベル調整部材が、該プレートの下方に向かって進退自在に設けられたので、柵の設置に際して、各柱のレベル調整を容易に行うことができる。
【００４０】
また、本発明によれば、前記レベル調整部材は、前記プレートに設けられたネジ穴に螺合されたボルトであって、前記柱との結合部位を挟む位置関係にある少なくとも２箇所に設けられたものとしたので、前記柱の重心を安定的に保持しながら、各柱のレベル調整を容易に行うことができる。
【図面の簡単な説明】
【図１】本発明の実施の形態に係る柵１００の外観構成を示す正面図である。
【図２】柱１０１ａの詳細な構成を示す側面図である。
【図３】図３(a)は柱１０１ａの下端部近傍の詳細な構成を示す部分拡大裏面図であり、図３(b)は柱１０１ａの下端部近傍の詳細な構成を示す部分拡大側面図である。
【図４】柱１０１ｂの詳細な構成を示す側面図である。
【図５】柱１０１ｂの下端部近傍の詳細な構成を示す部分拡大側面図である。
【図６】ベースレベル上に柱１０１ａ及び柱１０１ｂを配した状態を示す正面図である。
【図７】柱１０１ａ及び柱１０１ｂの下端部をモルタル団子で固定して、笠木１０２及び手摺り１０３を組合せた状態を示す正面図である。
【図８】柱１０１ａ及び柱１０１ｂを下端部にコンクリートを打設した状態を示す正面図である。
【図９】柱１０１ｂにワイヤ１０４を固着した状態を示す部分拡大図である。
【図１０】傾斜地に柵１００を設置した状態を示す正面図である。
【図１１】傾斜地における柱１０１ａの貫通穴１１ａ近傍の詳細な構成を示す部分拡大図である。
【図１２】平地及び傾斜地に柵１００を設置した状態を示す正面図である。
【符号の説明】
１００  柵
１０１ａ、１０１ｂ  柱
１０２  笠木
１０３  手摺り
１０４  ワイヤ（鋼索）
１１ａ、１１ｂ  貫通穴
１３ａ、１３ｂ  Ｌ型プレート（プレート）
１４  ボルト（レベル調整部材）
１５  ナット
【図１】
0003856285.tif 000002
【図２】
0003856285.tif 000003
【図３】
0003856285.tif 000004
【図４】
0003856285.tif 000005
【図５】
0003856285.tif 000006
【図６】
0003856285.tif 000007
【図７】
0003856285.tif 000008
【図８】
0003856285.tif 000009
【図９】
0003856285.tif 000010
【図１０】
0003856285.tif 000011
【図１１】
0003856285.tif 000012
【図１２】
0003856285.tif 000013